【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
カメラ部と、前記カメラ部から出力された画像データを格納するためのメモリと、撮影用補助光源として発光ダイオードを使用して照明光を照射する光源部と、を備えた被写体を撮影する機能を有する携帯機器において、
照明キーとシャッタキーを含む入力部をさらに備え、
前記照明キーが操作されると前記光源部からフラッシュに相当するレベルの照明光よりも照度の低い第１の照明光を一定レベルとなるよう継続的に照射させ、前記継続的に照射している状態で前記シャッタキーが操作されると前記光源部からフラッシュに相当するレベルの第２の照明光を照射させ、
前記シャッタキーが操作された直後の画像データが前記メモリに格納された後、前記第２照射光を照射されないように制御することを特徴とする、撮影機能を有した携帯機器。
【請求項２】
撮影用画像を表示している状態で、前記照明キーが操作されると前記光源部から前記第１の照明光を一定レベルとなるよう継続的に照射させることを特徴とする、請求項１に記載の撮影機能を有した携帯機器。
【請求項３】
前記照明キーが操作されなければ前記第１照明光を照射せず、前記第１照明光を照射しない状態で前記シャッタキーが操作されれば前記第２照明光なしに撮影がされることを特徴とする、請求項１または２に記載の撮影機能を有した携帯機器。
【請求項４】
前記光源部は白色光を照射する発光ダイオードからなることを特徴とする、請求項１から３のいずれか１項に記載の撮影機能を有した携帯機器。
【請求項５】
前記光源部は複数の発光ダイオードからなることを特徴とする、請求項１から３のいずれか１項に記載の撮影機能を有した携帯機器。
【請求項６】
前記光源部は、前記複数の発光ダイオードを同時発光させて前記第１照明光または第２照明光を照射させることを特徴とする、請求項５に記載の撮影機能を有した携帯機器。
【請求項７】
前記複数の発光ダイオードそれぞれは、白色光を照射する発光ダイオードであることを特徴とする、請求項５に記載の撮影機能を有した携帯機器。
【請求項８】
前記複数の発光ダイオードは、赤色光、緑色光および青色光のそれぞれを照射する発光ダイオードからなることを特徴とする、請求項５または６に記載の撮影機能を有した携帯機器。
【請求項９】
前記赤色光、前記緑色光および前記青色光の前記発光ダイオードを同時発光させて白色光を照射することを特徴とする、請求項８に記載の撮影機能を有した携帯機器。
【請求項１０】
前記携帯機器は撮影モードと前記撮影モード以外の動作モードを有し、
前記光源部は前記撮影モード以外の動作モードを報知する報知手段と兼用されていることを特徴とする、請求項８または９に記載の撮影機能を有した携帯機器。
【請求項１１】
前記撮影モード以外の動作モードには、電話の着信モード、充電モードおよび電子メール着信モードのうちの少なくとも１種類が含まれることを特徴とする、請求項１０に記載の撮影機能を有した携帯機器。
【請求項１２】
前記複数の発光ダイオードのうち、前記動作モードの種類に応じて選択された１つ以上の発光ダイオードを点滅または点灯させることを特徴とする、請求項１１に記載の撮影機能を有した携帯機器。
【請求項１３】
前記携帯機器は折り畳み可能な筐体を有し、
折り畳まれた状態で前記筐体の内面側に前記入力部を有し、当該内面側の背面側に前記カメラ部と前記光源部とを有する、請求項１から１２のいずれか１項に記載の撮影機能を有した携帯機器。
【手続補正２】
【補正対象書類名】明細書
【補正対象項目名】００１１
【補正方法】変更
【補正の内容】
【００１１】
この発明のある局面に係る被写体を撮影する機能を有する携帯機器は、カメラ部と、前記カメラ部から出力された画像データを格納するためのメモリと、撮影用補助光源として発光ダイオードを使用して照明光を照射する光源部と、を備えた被写体を撮影する機能を有する携帯機器において、照明キーとシャッタキーを含む入力部をさらに備え、前記照明キーが操作されると前記光源部からフラッシュに相当するレベルの照明光よりも照度の低い第１の照明光を一定レベルとなるよう継続的に照射させ、前記継続的に照射している状態で前記シャッタキーが操作されると前記光源部からフラッシュに相当するレベルの第２の照明光を照射させ、前記シャッタキーが操作された直後の画像データが前記メモリに格納された後、前記第２照射光を照射されないように制御することを特徴とする。
【手続補正３】
【補正対象書類名】明細書
【補正対象項目名】００１２
【補正方法】変更
【補正の内容】
【００１２】
上述の携帯機器は望ましくは、撮影用画像を表示している状態で、前記照明キーが操作されると前記光源部から前記第１の照明光を一定レベルとなるよう継続的に照射させることを特徴とする。
【手続補正４】
【補正対象書類名】明細書
【補正対象項目名】００１３
【補正方法】変更
【補正の内容】
【００１３】
上述の携帯機器は望ましくは、前記照明キーが操作されなければ前記第１照明光を照射せず、前記第１照明光を照射しない状態で前記シャッタキーが操作されれば前記第２照明光なしに撮影がされることを特徴とする。
【手続補正５】
【補正対象書類名】明細書
【補正対象項目名】００１４
【補正方法】変更
【補正の内容】
【００１４】
上述の携帯機器は望ましくは、前記光源部は白色光を照射する発光ダイオードからなることを特徴とする。
【手続補正６】
【補正対象書類名】明細書
【補正対象項目名】００１５
【補正方法】変更
【補正の内容】
【００１５】
上述の携帯機器は望ましくは、前記光源部は複数の発光ダイオードからなることを特徴とする。
【手続補正７】
【補正対象書類名】明細書
【補正対象項目名】００１６
【補正方法】変更
【補正の内容】
【００１６】
上述の携帯機器は望ましくは、前記光源部は、前記複数の発光ダイオードを同時発光させて前記第１照明光または第２照明光を照射させることを特徴とする。
【手続補正８】
【補正対象書類名】明細書
【補正対象項目名】００１７
【補正方法】変更
【補正の内容】
【００１７】
上述の携帯機器は望ましくは、前記複数の発光ダイオードそれぞれは、白色光を照射する発光ダイオードであることを特徴とする。
【手続補正９】
【補正対象書類名】明細書
【補正対象項目名】００１８
【補正方法】変更
【補正の内容】
【００１８】
上述の携帯機器は望ましくは、前記複数の発光ダイオードは、赤色光、緑色光および青色光のそれぞれを照射する発光ダイオードからなることを特徴とする。
【手続補正１０】
【補正対象書類名】明細書
【補正対象項目名】００１９
【補正方法】変更
【補正の内容】
【００１９】
上述の携帯機器は望ましくは、前記赤色光、前記緑色光および前記青色光の前記発光ダイオードを同時発光させて白色光を照射することを特徴とする。
【手続補正１１】
【補正対象書類名】明細書
【補正対象項目名】００２０
【補正方法】変更
【補正の内容】
【００２０】
上述の携帯機器は望ましくは、前記携帯機器は撮影モードと前記撮影モード以外の動作モードを有し、前記光源部は前記撮影モード以外の動作モードを報知する報知手段と兼用されていることを特徴とする。
【手続補正１２】
【補正対象書類名】明細書
【補正対象項目名】００２１
【補正方法】変更
【補正の内容】
【００２１】
上述の携帯機器は望ましくは、前記撮影モード以外の動作モードには、電話の着信モード、充電モードおよび電子メール着信モードのうちの少なくとも１種類が含まれることを特徴とする。
【手続補正１３】
【補正対象書類名】明細書
【補正対象項目名】００２２
【補正方法】変更
【補正の内容】
【００２２】
上述の携帯機器は望ましくは、前記複数の発光ダイオードのうち、前記動作モードの種類に応じて選択された１つ以上の発光ダイオードを点滅または点灯させることを特徴とする。
【手続補正１４】
【補正対象書類名】明細書
【補正対象項目名】００２３
【補正方法】変更
【補正の内容】
【００２３】
上述の携帯機器は望ましくは、前記携帯機器は折り畳み可能な筐体を有し、折り畳まれた状態で前記筐体の内面側に前記入力部を有し、当該内面側の背面側に前記カメラ部と前記光源部とを有することを特徴とする。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
撮影の瞬間には、すなわちシャッタチャンスにおいては、被写体には白色のフラッシュライトが照射されるので、周囲が暗くても良好な被写体像を得ることができる。また、周りが暗く、被写体を確認できないような場合、照明光を継続的に出力させることにより、懐中電灯と同様な役割を果たすことができ、その照明光で被写体の位置を確認した上で撮影することができ自然光のもとでの被写体を、スポットライトをあてた状態でより明確に確認できる。
さらに撮影用画像を表示している状態で、前記照明キーが操作されると前記光源部から前記第１の照明光を一定レベルとなるよう継続的に照射させれば、利用者は表示画像を確認しながらフラッシュを照射させて撮影することができる。
さらに被写体撮影前に照度の低い照明光を被写体に向けて出力させることにより、被写体撮影時に、暗い場所でいきなり強い照度のフラッシュライトを出力させた場合に比べて、被写体の目に飛び込む光の眩しさを低減することができる。
【手続補正１７】
【補正対象書類名】明細書
【補正対象項目名】００２６
【補正方法】変更
【補正の内容】
【００２６】
また撮影モードにおいては、撮影用補助光源として、複数種類のＬＥＤを使用して白色光を発光するので、複数種類のＬＥＤの組合せによる発光により、白色光を生成できる。
例えば赤色光を発生する発光素子、緑色光を発生する発光素子および青色光を発生する発光素子の全てが発光するので、白色発光の光源が得られて、白色の照明光が被写体に照射され、撮影した際、色再現性を高めることができる。
また、選択された１つ、または２つ以上の組合せによる発光で、現在の動作モードを視覚的に報知できる。
【手続補正１８】
【補正対象書類名】明細書
【補正対象項目名】００２７
【補正方法】変更
【補正の内容】
【００２７】
なお発光素子がキセノン管やランプであるのに比較して、発光ダイオードを採用することで発光素子自体を小型化および軽量化できて、光源部を搭載したとしても携帯機器のコンパクト性は損なわれない。